(57)【要約】【課題】紙シートの折り曲げ部分の外面において紙割れの発生を抑制することができる包装箱を提供する。【解決手段】紙シート１１の折り曲げ罫線３０ａを介して連設された二つの壁面４，８の内面に紙シート１１の折り曲げ罫線３０ａを跨ぐようにしてプラスチックシート１２が貼着されている。該プラスチックシート１２には、紙シート１１の折り曲げ罫線３０ａに対応した位置の両側にそれぞれ折り曲げ罫線５０，５１が紙シート１１の折り曲げ罫線３０ａに沿って形成され、該二本の折り曲げ罫線５０，５１間の領域６０が紙シート１１に非接着とされている。箱状に形成された状態において、プラスチックシート１２の二本の折り曲げ罫線５０，５１においてそれぞれプラスチックシート１２が谷折りに折れ曲がり、該二本の折り曲げ罫線５０，５１間の領域６０が紙シート１１から内側に浮き上がっている。【選択図】図１
2012091821.tif 000002
【特許請求の範囲】
【請求項１】
紙シートから箱本体が形成され、該箱本体において紙シートの折り曲げ罫線を介して連設された二つの壁面の内面に前記紙シートの折り曲げ罫線を跨ぐようにしてプラスチックシートが貼着されている包装箱であって、
プラスチックシートには、前記紙シートの折り曲げ罫線に対応した位置の両側にそれぞれプラスチックシートの折り曲げ罫線が前記紙シートの折り曲げ罫線に沿って形成され、該プラスチックシートの二本の折り曲げ罫線間の領域が紙シートに非接着とされ、
箱状に形成された状態において、前記プラスチックシートの二本の折り曲げ罫線でそれぞれプラスチックシートが谷折りに折れ曲がり、該プラスチックシートの二本の折り曲げ罫線間の領域が紙シートから内側に浮き上がっていることを特徴とする包装箱。
【請求項２】
前記プラスチックシートの二本の折り曲げ罫線間に更にプラスチックシートの折り曲げ罫線が前記紙シートの折り曲げ罫線に沿って形成されている請求項１記載の包装箱。
【請求項３】
プラスチックシートの折り曲げ罫線は、包装箱の内側を向くプラスチックシートの面から刃物を押し入れることにより形成されている請求項１又は２記載の包装箱。
【発明の詳細な説明】
【技術分野】
【０００１】
本発明は、各種の物品を包装するための包装箱に関し、特に内面にプラスチックシートが貼着された包装箱に関するものである。
【背景技術】
【０００２】
従来、紙シートからなる包装箱の内面にプラスチックシートが貼着されたものがある。例えば、紙シートを切り抜いて包装箱に孔部を形成し、その孔部を内側から覆うようにして透明のプラスチックシートを貼着したものがある。この場合、孔部が窓部となってそこから包装箱の内部を視認することができ、また、孔部がプラスチックシートで被覆されているので、孔部を介して外部から異物が侵入することを防止することができる。
【０００３】
また、包装箱の隣り合った二つの壁面のそれぞれに孔部が形成されている場合、その二つの孔部を一枚のプラスチックシートで纏めて覆うようにしたものも公知である（下記特許文献１参照）。該特許文献１所載の包装箱においては、側面に視認用の窓部が形成され、天面に把持部を持ち上げることで切欠部が形成されており、窓部と切欠部が一枚のプラスチックシートによって内側から覆われている。天面と側面は、展開状態において、紙シートに形成された折り曲げ罫線を介して連設されている。従って、紙シートの折り曲げ罫線を跨ぐようにしてプラスチックシートが紙シートの天面と側面に貼着されている。そして、箱状に組み立てる際には、外側の紙シートと内側のプラスチックシートを一緒に折り曲げることになる。
【０００４】
プラスチックシートの折り曲げ部分には折り曲げ罫線が形成されることが一般的である。そのため、プラスチックシートを紙シートに貼着する場合には、紙シートの折り曲げ罫線とプラスチックシートの折り曲げ罫線とを正確に一致させる必要があるが、両者を正確に一致させることは事実上困難である。紙シートの折り曲げ罫線に対してプラスチックシートの折り曲げ罫線が位置ずれしていると、紙シートを折り曲げる際に内側のプラスチックシートが突っ張って折り曲げの妨げとなり、プラスチックシートの反発力に抗して紙シートを強引に折り曲げることになる結果、紙シートの折り曲げ部分（折り目）の外面に、いわゆる「紙割れ」と称されるひび割れ現象が生じて包装箱の商品価値が著しく低下する。
【０００５】
かかる問題は、紙シートの内側にその折り曲げ罫線を跨ぐようにしてプラスチックシートが貼着される場合に生じうるものである。内側にプラスチックシートを貼着する目的の多くは、上述したように紙シートに形成した窓部等の孔部を透明のプラスチックシートによって覆うことであるが、それ以外にも例えば補強の目的で内側にプラスチックシートを貼着するような場合にも、上記問題は同様に生じうる。
【先行技術文献】
【特許文献】
【０００６】
【特許文献１】実用新案登録第３１４０２２２号公報
【発明の概要】
【発明が解決しようとする課題】
【０００７】
それゆえに本発明は上記従来の問題点に鑑みてなされ、紙シートの折り曲げ部分の外面において紙割れの発生を抑制することができる包装箱を提供することを課題とする。
【課題を解決するための手段】
【０００８】
本発明は上記課題を解決すべくなされたものであって、本発明に係る包装箱は、紙シートから箱本体が形成され、該箱本体において紙シートの折り曲げ罫線を介して連設された二つの壁面の内面に前記紙シートの折り曲げ罫線を跨ぐようにしてプラスチックシートが貼着されている包装箱であって、プラスチックシートには、前記紙シートの折り曲げ罫線に対応した位置の両側にそれぞれプラスチックシートの折り曲げ罫線が前記紙シートの折り曲げ罫線に沿って形成され、該プラスチックシートの二本の折り曲げ罫線間の領域が紙シートに非接着とされ、箱状に形成された状態において、前記プラスチックシートの二本の折り曲げ罫線でそれぞれプラスチックシートが谷折りに折れ曲がり、該プラスチックシートの二本の折り曲げ罫線間の領域が紙シートから内側に浮き上がっていることを特徴とする。
【０００９】
該構成の包装箱においては、紙シートの折り曲げ罫線に対応した位置の両側に、対応した位置から少し距離をおくようにしてプラスチックシートの折り曲げ罫線が紙シートの折り曲げ罫線に沿って形成されている。従って、プラスチックシートの二本の折り曲げ罫線間の領域に紙シートの折り曲げ罫線が位置することになる。このように、プラスチックシートの二本の折り曲げ罫線間に紙シートの折り曲げ罫線が位置するようにプラスチックシートを紙シートに貼着すればよいので、貼り付け位置を高精度に制御する必要がない。そして、このプラスチックシートの二本の折り曲げ罫線間の領域は紙シートには接着されていないので、箱状に形成すると、プラスチックシートの二本の折り曲げ罫線においてそれぞれプラスチックシートは谷折りに折れ曲がると同時に、該領域が紙シートから内側に浮き上がる。即ち、紙シートを折り曲げる際に、その内側に位置しているプラスチックシートの領域が紙シートに沿うのではなく紙シートから浮き上がるように内側に退避するので、紙シートは無理なく容易に折れ曲がる。
【００１０】
特に、前記プラスチックシートの二本の折り曲げ罫線間に更にプラスチックシートの折り曲げ罫線が前記紙シートの折り曲げ罫線に沿って形成されていることが好ましい。プラスチックシートの二本の折り曲げ罫線においてプラスチックシートは谷折りに折れ曲がると共に、その間に位置するプラスチックシートの折り曲げ罫線においてプラスチックシートは山折りに折れ曲がる。このように、プラスチックシートの二本の折り曲げ罫線間の領域においてプラスチックシートが山折りに折れ曲がる（屈曲する）ことにより、該領域が紙シートから浮き上がりやすくなり、紙シートをより一層スムーズに折り曲げることができる。
【００１１】
また、プラスチックシートの折り曲げ罫線は、包装箱の内側を向くプラスチックシートの面から刃物を押し入れることにより形成されていることが好ましい。包装箱の内側を向くプラスチックシートの面、即ち内面側からトムソン刃等の刃物を押し入れると、その折り曲げ罫線においてプラスチックシートには弱い谷折りの癖が付く。プラスチックシートの折り曲げ罫線を紙シートの折り曲げ罫線の両側に二本設ける場合、両折り曲げ罫線において弱い谷折りの癖が付いているので、箱状にする際に容易にプラスチックシートが谷折りに折れ曲がることになる。また、そのプラスチックシートの二本の折り曲げ罫線の間に更に折り曲げ罫線を形成した場合には、両側の折り曲げ罫線における谷折りの癖の影響を受けて中央の折り曲げ罫線では若干山折りの癖になる。従って、箱状にする際に、中央の折り曲げ罫線においてプラスチックシートが容易に山折りに折れ曲がることとなる。
【発明の効果】
【００１２】
以上のように、本発明に係る包装箱は、プラスチックシートの二本の折り曲げ罫線の間に紙シートの折り曲げ罫線を位置させればよいのでプラスチックシートの貼着工程が楽になり、しかも、プラスチックシートの二本の折り曲げ罫線間の領域を未接着として紙シートから内側に浮き上がるようにしたことにより、紙シートが容易に折れ曲がり、紙シートの折り曲げ部分の外面に紙割れが生じることを防止することができる。
【図面の簡単な説明】
【００１３】
【図１】本発明の一実施形態における包装箱を示す斜視図。
【図２】同実施形態における包装箱の紙シートを内面側から見た展開図。
【図３】同実施形態における包装箱のプラスチックシートを内面側から見た展開図。
【図４】同実施形態における包装箱のプラスチックシートの要部を示し、（ａ）は正面図、（ｂ）は（ａ）のＡ−Ａ断面図。
【図５】図４（ａ）のＢ−Ｂ断面図であって、（ａ）は拡大断面図、（ｂ）は概略の全体形状を示す断面図。
【図６】同実施形態における包装箱を内面側から見た展開図。
【図７】同実施形態における包装箱の要部断面図であって、（ａ）は箱状に組み立てる前の状態を示し、（ｂ）は折り曲げて箱状に形成した状態を示している。
【図８】本発明の他の実施形態における包装箱の要部断面図であって図７（ｂ）に対応した図。
【発明を実施するための形態】
【００１４】
以下、本発明の一実施形態に係る包装箱について図１〜図７を参酌しつつ説明する。
【００１５】
本実施形態における包装箱は、奥行きが比較的浅い縦型の箱であって六つの壁面を有している。即ち、正面４、背面、右側面、左側面７、天面８及び底面から構成されている。該包装箱には、正面４と天面８にそれぞれ孔部としての窓部２，３が形成されている。正面４に形成された第一の窓部２は、比較的大型のものであって、一方の側面（左側面７）に延在する側方延在部２ａを有している。また、天面８に形成された第二の窓部３は左右に一対形成されていて比較的小型のものである。包装箱は、紙シート１１から形成された箱本体１を有していて、紙シート１１を所定形状に切り抜くことによって第一及び第二の窓部２，３が形成され、これらの窓部２，３は透明のプラスチックシート１２によって内側から被覆されている。従って、窓部２，３においては、透明のプラスチックシート１２を介して内部を視認可能となっている。
【００１６】
かかる包装箱は、紙シート１１からなる箱本体１の内面の所定箇所に透明のプラスチックシート１２を貼着することによって構成されている。具体的には、天面８、正面４、左側面７、背面の内面に一枚の透明のプラスチックシート１２が貼着されて、該一枚のプラスチックシート１２によって第一及び第二の窓部２，３が纏めて覆われている。
【００１７】
次に、箱本体１を構成する紙シート１１と、該紙シート１１の内面に貼着されるプラスチックシート１２について詳述する。紙シート１１は図２にその内面から見た展開図を示しているように、所定形状に裁断や打ち抜きされて形成される。即ち、正面４となる正面部２０、背面となる背面部２１、左側面７及び右側面となる左右の側面部２２，２３、底面となる一対の底面フラップ部２４、及び、天面８となる天面部２５を備えていて、背面部２１の一側縁には糊代部２６が延設されると共に、天面部２５の先端には差し込みフラップ部２７が延設され、また、左右の側面部２２，２３の上縁と下縁にはそれぞれ上サイドフラップ部２８と下サイドフラップ部２９が延設されている。尚、紙シート１１の折り曲げ箇所には折り曲げ罫線３０が形成されている。具体的には、紙シート１１の外面に刃物を押しつけて溝を形成するようにして折り曲げ罫線３０が形成されており、押し罫線とも称される（図７（ａ）参照）。そして、正面部２０には第一の窓部２が形成されてその側方延在部２ａが左側面部２３まで延びている。また、天面部２５には第二の窓部３が左右一対形成されている。これらの第一及び第二の窓部２，３は、紙シート１１を展開形状に裁断等する際に同時に切り抜かれる。尚、背面部２１の上部には、コの字状に切り込まれて上縁部を折り曲げ部とする折り込み片部３１が形成され、該折り込み片部３１を内側に折り込むことで手を入れるための差し込み孔が形成され、そこに手を入れて包装箱を持つことができるようになっている。尚、折り込み片部３１の折り曲げ部にも折り曲げ罫線３０が形成されている。尚、紙シート１１の材質は、種々の公知のものが使用可能であって、単層のものの他、複層のものであってもよく、合成紙を一部あるいは全部に使用してもよい。
【００１８】
また、プラスチックシート１２は、図３にその内面から見た展開図を示しているように所定形状に裁断や打ち抜きされて形成される。具体的には、プラスチックシート１２は、紙シート１１の正面部２０の内面に貼着されて第一の窓部２を覆う正面被覆部４０と、該正面被覆部４０の上方に連設され、紙シート１１の天面部２５の内面に貼着されて第二の窓部３を覆う天面被覆部４５と、正面被覆部４０の側方に連設され、紙シート１１の左側面部２３の内面に貼着されて第一の窓部２の側方延在部２ａを覆う側面被覆部４３と、該側面被覆部４３の側方に連設され、紙シート１１の背面部２１の内面に貼着される背面被覆部４１とを備えている。
【００１９】
正面被覆部４０と天面被覆部４５は同一幅に形成されていて、正面被覆部４０と天面被覆部４５の間には、横方向に伸びる互いに平行な一対の折り曲げ罫線５０，５１によって正面被覆部４０及び天面被覆部４５と区画された帯状のバッファー領域６０が設けられている。該バッファー領域６０も正面被覆部４０及び天面被覆部４５と同一幅である。また、バッファー領域６０の略中央にも両折り曲げ罫線５０，５１と平行に折り曲げ罫線５２が形成されており、従って、正面被覆部４０と天面被覆部４５の間には、合計三本の折り曲げ罫線５０，５１，５２が形成されている。三本の折り曲げ罫線５０，５１，５２は同じ形状にて形成されており、プラスチックシート１２の内面（包装箱の内側を向く面）からトムソン刃等の刃物を押し入れることにより形成されている。尚、折り曲げ罫線５０，５１，５２の形成工程は、プラスチックシート１２を所定形状に打ち抜く際に同時に行われる。この折り曲げ罫線５０，５１，５２の形状について詳述すると、図４（ａ）に示すように、折り曲げ罫線５０，５１，５２は、プラスチックシート１２を貫通した貫通部７０と、プラスチックシート１２を貫通していない非貫通部７１とが交互に形成されて、いわゆるリード罫線として構成されている。尚、貫通部７０と非貫通部７１の配置を三本の折り曲げ罫線５０，５１，５２において揃うようにしているが、位置ずれして配置してもよく、千鳥状の配置となるようにしてもよい。この貫通部７０の長さと非貫通部７１の長さの比率は任意であるが、本実施形態では、貫通部７０の方が長く、貫通部７０の長さと非貫通部７１の長さの比率は３：２となっている。貫通部７０は図５（ａ）のように切り込み状となっており、非貫通部７１は図４（ｂ）のように約半分の厚さまでの深さを有する凹溝となっている。上述したように、トムソン刃等の刃物をプラスチックシート１２の内面から押し入れることによって折り曲げ罫線５０，５１，５２を形成しているので、刃物の圧力の影響を受けてプラスチックシート１２には図５（ｂ）に示すように両側の折り曲げ罫線５０，５１において谷折り状（内面が谷）の癖が付き、中央の折り曲げ罫線５２においては逆に若干山折り状となる。
【００２０】
図３に戻って、側面被覆部４３は縦方向に伸びる折り曲げ罫線５３を介して正面被覆部４０に連設されている。該折り曲げ罫線５３の長さは、上述した紙シート１１の第一の窓部２における側方延在部２ａの上下寸法よりも短い。そして、側面被覆部４３と背面被覆部４１との間には、上述したバッファー領域６０と同様のバッファー領域６１が設けられている。即ち、側面被覆部４３と背面被覆部４１との間には、縦方向に伸びる合計三本の折り曲げ罫線５４，５５，５６が形成されており、そのうちの両側の折り曲げ罫線５４，５５によってバッファー領域６１は側面被覆部４３及び背面被覆部４１から区画されている。尚、該バッファー領域６１の上下両端部にはＶ字状の切欠部６２が形成されており、この切欠部６２によって、中央の折り曲げ罫線５６は両側の折り曲げ罫線５４，５５よりも短くなっている。また、背面被覆部４１の上部には、上述した紙シート１１の背面部２１の折り込み片部３１に対応した位置に該折り込み片部３１よりも一回り大きな孔部６３が形成されている。尚、背面被覆部４１の下縁は、正面被覆部４０の下縁と略同一線上にある。
【００２１】
尚、プラスチックシート１２には種々のものが使用可能であり、例えば、ポリプロピレン、ポリエチレンなどのポリオレフィン系、ポリエチレンテレフタラート、ポリブチレンテレフタラートなどのポリエステル系、ポリスチレン系、ポリアミド系などからなるシートが使用できる。特に、包装箱に収容した被包装物（内容物）を第一及び第二の窓部２，３から視認できる程度の透明性と、第一及び第二の窓部２，３（その中でも特に大型の第一の窓部２）を被覆することによって包装箱の壁面の一部を構成するための適度な強度とを有している、ポリオレフィン系及びポリエステル系のシートが好ましく、透明性に優れたポリプロピレン製シート及びポリエチレンテレフタラート製シートがより好ましい。その中でも特に、ポリエチレンテレフタラート製シートは比較的剛性が高く、シート厚みを低減しても適度な強度を維持できる点でより好ましい。更に、印刷を施したものも使用可能である。尚、シートの厚さは、０．１ｍｍ〜１．０ｍｍ程度が好ましく、特に０．２ｍｍ〜０．６ｍｍ程度がより好ましい。
【００２２】
このように構成されたプラスチックシート１２を図６のように紙シート１１の内面に貼着する。この貼着には各種の接着剤や両面テープ等が使用されるが、特に、機械による自動貼着には接着剤を使用することが好ましい。この貼着によって、プラスチックシート１２の正面被覆部４０が第一の窓部２を被覆すると共に、左側面部２３に延びている第一の窓部２の側方延在部２ａを側面被覆部４３が被覆する。但し、プラスチックシート１２の正面被覆部４０と側面被覆部４３との間は上下の間隔が狭くなっていて正面被覆部４０と側面被覆部４３との間の折り曲げ罫線５３の長さが第一の窓部２の側方延在部２ａの上下寸法よりも短くなっているので、この折り曲げ罫線５３の外面側には紙シート１１が存在せずプラスチックシート１２のみの一層構造となっており、この折り曲げ罫線５３の上方と下方においては、僅かに第一の窓部２がプラスチックシート１２によって被覆されない未被覆部分６５が残る。
【００２３】
そして、紙シート１１の第二の窓部３はプラスチックシート１２の天面被覆部４５によって被覆される。従って、プラスチックシート１２は、紙シート１１の正面部２０と天面部２５との間の折り曲げ罫線３０ａを跨ぐようにして貼着されることになるが、この紙シート１１の折り曲げ罫線３０ａに、プラスチックシート１２の正面被覆部４０と天面被覆部４５との間のバッファー領域６０が重なる。換言すれば、該バッファー領域６０の両側における折り曲げ罫線５０，５１の間に紙シート１１の折り曲げ罫線３０ａが位置するようにする。図６においては、プラスチックシート１２の上側の折り曲げ罫線５０と中央の折り曲げ罫線５２の間に紙シート１１の折り曲げ罫線３０ａが位置した場合を図示しているが、この位置は貼着工程の誤差によって上下方向に変化する。例えば、プラスチックシート１２の中央の折り曲げ罫線５２と下側の折り曲げ罫線５１の間に紙シート１１の折り曲げ罫線３０ａが位置することもあり、またプラスチックシート１２の中央の折り曲げ罫線５２と紙シート１１の折り曲げ罫線３０ａが一致する場合もあり得る。何れにしても、プラスチックシート１２の上側の折り曲げ罫線５０と下側の折り曲げ罫線５１との間に（バッファー領域６０の間に）紙シート１１の折り曲げ罫線３０ａが位置するように、紙シート１１とプラスチックシート１２を貼着する。但し、バッファー領域６０については紙シート１１には貼着せずに未接着の状態とする。この貼着によって、プラスチックシート１２の三本の折り曲げ罫線５０，５１，５２は、紙シート１１の折り曲げ罫線３０ａに略平行となる。
【００２４】
この点については側面被覆部４３と背面被覆部４１との間のバッファー領域６０についても同様である。即ち、プラスチックシート１２は、紙シート１１の左側面部２３と背面部２１との間の折り曲げ罫線３０ｂを跨ぐようにして貼着され、この紙シート１１の折り曲げ罫線３０ｂに、プラスチックシート１２の側面被覆部４３と背面被覆部４１との間のバッファー領域６１が重なり、該バッファー領域６１の両側における折り曲げ罫線５４，５５の間に紙シート１１の折り曲げ罫線３０ｂが位置する。図６では、プラスチックシート１２の左側の折り曲げ罫線５４と中央の折り曲げ罫線５６の間に紙シート１１の折り曲げ罫線３０ｂが位置しているが、この位置は貼着工程の誤差によって左右方向に変化する。即ち、プラスチックシート１２の中央の折り曲げ罫線５６と右側の折り曲げ罫線５５の間に紙シート１１の折り曲げ罫線３０ｂが位置することもあれば、プラスチックシート１２の中央の折り曲げ罫線５６と紙シート１１の折り曲げ罫線３０ｂが一致することもある。何れにしても、プラスチックシート１２の左側の折り曲げ罫線５４と右側の折り曲げ罫線５５との間に（バッファー領域６１の間に）紙シート１１の折り曲げ罫線３０ｂが位置するように紙シート１１とプラスチックシート１２を貼着すればよい。そして、このバッファー領域６１についても紙シート１１には貼着せずに未接着の状態とする。この貼着によって、プラスチックシート１２の三本の折り曲げ罫線５４，５５，５６は、紙シート１１の折り曲げ罫線３０ｂに略平行となる。尚、プラスチックシート１２の背面被覆部４１の孔部６３に紙シート１１の背面部２１の折り込み片部３１が位置する。
【００２５】
そして、図６のようにプラスチックシート１２が内面に貼着された紙シート１１を折り曲げて糊代部２６を貼着して箱状にする。折り曲げる工程の前後におけるバッファー領域６０の形状変化の様子を図７に示している。まず、折り曲げる前においては図７（ａ）に示すようにプラスチックシート１２はその中央の折り曲げ罫線５２において若干山折り状に盛り上がった状態にある。そして、図７（ａ）の矢印のようにプラスチックシート１２が貼着された紙シート１１（天面部２５）を内面側に折り曲げていくと、プラスチックシート１２の両側の折り曲げ罫線５０，５１において谷折り状に折れ曲がると共に中央の折り曲げ罫線５２においては山折り状に折れ曲がっていき、図７（ｂ）のようにバッファー領域６０が紙シート１１（天面部２５と正面部２０）から徐々に浮き上がっていく。この現象は他方のバッファー領域６１においても同様である。
【００２６】
このように、紙シート１１を折り曲げる際に、その内側に位置しているプラスチックシート１２のバッファー領域６０，６１が紙シート１１に沿わずに内側に浮き上がって退避するので、紙シート１１を無理なく容易に折り曲げることができる。従って、紙シート１１の折り曲げ部分の外面に紙割れが発生することを防止することができる。特に、バッファー領域６０，６１に中央の折り曲げ罫線５２，５６が形成されているので、バッファー領域６０，６１がその中央の折り曲げ罫線５２，５６において山折り状に折れ曲がることになり、無理なくスムーズに紙シート１１が折れ曲がるのである。尚、側面被覆部４３と背面被覆部４１との間のバッファー領域６１においては、その上下端部に切欠部６２が形成されていて中央の折り曲げ罫線５６が両側の折り曲げ罫線５４，５５に比して短くなっているので、バッファー領域６１がより一層屈曲して浮き上がりやすい。
【００２７】
尚、紙シート１１の背面部２１の折り込み片部３１を内側に折り込めば、そこに指を差し込むようにして包装箱を把持することができる。折り込み片部３１を折り返すことで紙シート１１が二重になってプラスチックシート１２と二重の紙シート１１からなる丈夫な把持部が形成されると共に、折り込み片部３１の周囲にはプラスチックシート１２が貼着されて紙シート１１が補強されているので、重い被包装物（内容物）を収容した場合であっても包装箱の把持部が強度不足になるということがなく、安定して持ち運ぶことができる。
【００２８】
尚、本実施形態では、側面被覆部４３と背面被覆部４１との間のバッファー領域６１に切欠部６２を形成したが、逆に、正面被覆部４０と天面被覆部４５との間のバッファー領域６０に切欠部６２を形成してもよく、両方のバッファー領域６０，６１にそれぞれ切欠部６２を形成してもよい。また、側面被覆部４３と背面被覆部４１との間のバッファー領域６１における上下両端部にそれぞれ切欠部６２を形成したが、一方の端部のみに形成してもよく、この点は正面被覆部４０と天面被覆部４５との間のバッファー領域６０に切欠部６２を形成を形成する場合も同様である。更に、切欠部６２の形状や大きさについても任意であって、半円形としてもよく、また切欠深さを更に深く（長く）するようにしてもよい。更に端部に切欠部６２を形成する他、中央の折り曲げ罫線５２，５６の中途部に孔部を形成してもよい。
【００２９】
また、バッファー領域６０，６１を二分するようにその中央位置に折り曲げ罫線５２，５６を形成したが、中央の折り曲げ罫線５２，５６の位置を両側の折り曲げ罫線５０，５１，５４，５５の一方に接近させるように配置してもよい。
【００３０】
また更に、中央の折り曲げ罫線５２，５６を省略してもよい。その場合、折り曲げると図８のようにバッファー領域６０（バッファー領域６１も同様）は内側に向かって凸に撓んで湾曲する。
【００３１】
尚、プラスチックシート１２の折り曲げ罫線の種類についても任意であって、紙シート１１の折り曲げ罫線の種類についても同様に種々のものが採用可能である。また、プラスチックシート１２の内面側から刃物を押し入れて折り曲げ罫線を形成するのではなく、プラスチックシート１２の外面側から刃物を押し入れて形成してもよい。
【００３２】
更に、上記実施形態では、紙シート１１の正面部２０、天面部２５、左側面部２３及び背面部２１に一枚のプラスチックシート１２を貼着する構成であったが、紙シート１１の正面部２０と天面部２５のみにプラスチックシート１２を貼着してもよい。また、紙シート１１の正面部２０と天面部２５に一枚のプラスチックシート１２を貼着し、それとは分離された別のプラスチックシート１２を左側面部２３と背面部２１に貼着するようにしてもよい。その場合、左側面部２３と背面部２１に貼着するプラスチックシート１２を不透明なものとしてもよい。
【００３３】
また更に、紙シート１１に第一及び第二の窓部２，３を形成したが、これらの窓部２，３の一部あるいは全部を省略してもよい。このように窓部を省略した構成であっても、紙シート１１の内面にプラスチックシート１２を貼着することによって箱本体１が補強される。また、内部が見えるような窓部とするのではなく、模様として紙シート１１に一つあるいは複数の孔部を形成し、その孔部を内面のプラスチックシート１２で覆うようにしてもよく、その場合、プラスチックシート１２を透明としてもまた着色された不透明のものとしてもよい。
【符号の説明】
【００３４】
１    箱本体
２    第一の窓部
２ａ  側方延在部
３    第二の窓部
４    正面（壁面）
７    左側面（壁面）
８    天面（壁面）
１１    紙シート
１２    プラスチックシート
２０    正面部
２１    背面部
２２    右側面部
２３    左側面部
２４    底面フラップ部
２５    天面部
２６    糊代部
２７    差し込みフラップ部
２８    上サイドフラップ部
２９    下サイドフラップ部
３０    折り曲げ罫線
３０ａ  折り曲げ罫線
３０ｂ  折り曲げ罫線
３１    折り込み片部
４０    正面被覆部
４１    背面被覆部
４３    側面被覆部
４５    天面被覆部
５０    上側の折り曲げ罫線
５１    下側の折り曲げ罫線
５２    中央の折り曲げ罫線
５３    折り曲げ罫線
５４    左側の折り曲げ罫線
５５    右側の折り曲げ罫線
５６    中央の折り曲げ罫線
６０    バッファー領域
６１    バッファー領域
６２    切欠部
６３    孔部
６５    未被覆部分
７０    貫通部
７１    非貫通部
【図１】
2012091821.tif 000003
【図２】
2012091821.tif 000004
【図３】
2012091821.tif 000005
【図４】
2012091821.tif 000006
【図５】
2012091821.tif 000007
【図６】
2012091821.tif 000008
【図７】
2012091821.tif 000009
【図８】
2012091821.tif 000010